(57)【特許請求の範囲】
【請求項１】
映像信号の所定の方向に隣接した３点のサンプルポイントのうち、端部に位置する第１のサンプルポイントの輝度値と中央に位置するサンプルポイントの輝度値との絶対値差に、前記３点の画素のうち端部に位置する前記第１のサンプルポイント以外のサンプルポイントである第２のサンプルポイントの輝度値と前記中央に位置するサンプルポイントの輝度値との絶対値差を加算し、そこから前記第１のサンプルポイントの輝度値と前記第２のサンプルポイントの輝度値との絶対値差を減算した値を評価値として算出する評価値算出部と、
前記評価値算出部が算出した評価値を算出対象領域内で合算し、その合算された評価値に、前記算出対象領域の大きさに応じて設定されたゲインを乗算すると共に、所定数のフィールド又はフレームで平均化して平均評価値を得る合焦度合算出部と、
前記合焦度合算出部で得られた平均評価値を通知する評価値通知部とを備えた
映像信号処理装置。
【請求項２】
前記評価値通知部は、前記映像信号による画像を表示する表示部であり、
前記表示部の画面上に、平均評価値に対応した長さのバーを表示する
請求項１記載の映像信号処理装置。
【請求項３】
前記表示部が表示するバーは、画面中の異なる箇所に同時に表示する複数のバーよりなる
請求項２記載の映像信号処理装置。
【請求項４】
被写体光を光電変換して映像信号を生成する撮像部と、
前記撮像部が生成した映像信号の所定の方向に隣接した３点のサンプルポイントのうち、端部に位置する第１のサンプルポイントの輝度値と中央に位置するサンプルポイントの輝度値との絶対値差に、前記３点の画素のうち端部に位置する前記第１のサンプルポイント以外のサンプルポイントである第２のサンプルポイントの輝度値と前記中央に位置するサンプルポイントの輝度値との絶対値差を加算し、そこから前記第１のサンプルポイントの輝度値と前記第２のサンプルポイントの輝度値との絶対値差を減算した値を評価値として算出する評価値算出部と、
前記評価値算出部が算出した評価値を算出対象領域内で合算し、その合算された評価値に、前記算出対象領域の大きさに応じて設定されたゲインを乗算すると共に、所定数のフィールド又はフレームで平均化して平均評価値を得る合焦度合算出部と、
前記合焦度合算出部で算出された平均評価値を通知する評価値通知部とを備えた
撮像装置。
【請求項５】
前記評価値通知部は、前記映像信号による画像を表示するビューファインダであり、
前記ビューファインダの画面上に、平均評価値に対応した長さのバーを表示する
請求項４記載の撮像装置。
【請求項６】
前記ビューファインダが表示するバーは、画面中の異なる箇所に同時に表示する複数のバーよりなる
請求項５記載の撮像装置。
【請求項７】
映像信号の所定の方向に隣接した３点のサンプルポイントのうち、端部に位置する第１のサンプルポイントの輝度値と中央に位置するサンプルポイントの輝度値との絶対値差に、前記３点の画素のうち端部に位置する前記第１のサンプルポイント以外のサンプルポイントである第２のサンプルポイントの輝度値と前記中央に位置するサンプルポイントの輝度値との絶対値差を加算し、そこから前記第１のサンプルポイントの輝度値と前記第２のサンプルポイントの輝度値との絶対値差を減算した値を評価値として算出する評価値算出ステップと、
前記評価値算出ステップで算出した評価値を算出対象領域内で合算し、その合算された評価値に、前記算出対象領域の大きさに応じて設定されたゲインを乗算すると共に、所定数のフィールド又はフレームで平均化して平均評価値を得る合焦度合算出ステップと、
前記合焦度合算出ステップで得られた平均評価値を通知する評価値通知ステップとを含む
映像信号処理方法。
【請求項８】
前記評価値通知ステップは、前記映像信号による画像を表示する画面上に、平均評価値に対応した長さのバーを表示する
請求項７記載の映像信号処理方法。
【請求項９】
前記画面上に表示するバーは、画面中の異なる箇所に同時に表示する複数のバーよりなる
請求項８記載の映像信号処理方法。
【発明の詳細な説明】
【技術分野】
【０００１】
本発明は、映像信号処理装置、撮像装置及び映像信号処理方法に関し、特にフォーカスの合焦度合を示す評価値を生成する技術に関する。
【背景技術】
【０００２】
従来、放送局用のビデオカメラやカメラ一体型ビデオテープレコーダでは、フォーカス調整を容易にするために、フォーカス調整時に、映像信号の高域部分を強調してビューファインダに表示することを行っている。具体的な処理としては、映像信号を構成する輝度信号から高域成分を抽出・増幅することで輪郭補正信号を生成し、その輪郭補正信号が加算された映像信号を、ビューファインダに出力することを行う。
【０００３】
フォーカスが合ってくると、映像信号中の高域成分の量が増加するため、ビューファインダ上の画像の輪郭（エッジ）部分が強調されるようになる。これにより撮影者は、フォーカスが合っているか否かをビューファインダの画面上で確認しながら、フォーカスの調整を行うことができる。
【０００４】
ところが、この手法は光学ズームをテレ端に寄せている場合には有効であるが、ワイド端側に寄せられている場合には威力を発揮しにくい。光学ズームがワイド端に寄っている場合には被写界深度が深くなり、ピントの合う範囲が広くなるためである。この場合は、ビューファインダに表示される画像の全域が強調表示されてしまうため、撮影者がフォーカスの合焦位置を探りにくくなってしまうという問題があった。
【０００５】
このため、輪郭補正信号を用いて、輪郭強調表示以外の手法で合焦状態をガイド表示することも行われている。例えば特許文献１には、撮像画像のフォーカス状態の良否を合焦情報として前記ビューファインダに出力することが記載されている。
【特許文献１】特開２００１−１３６４１９号公報
【発明の開示】
【発明が解決しようとする課題】
【０００６】
ところで、上述した輪郭補正信号は、映像信号にハイパスフィルタをかけることによって抽出している。そして、例えば特許文献１に記載の技術においては、この輪郭補正信号を元に、合焦状態を示す指標としての評価値の算出を行っている。
【０００７】
従って、撮影範囲内の局所的な領域に、例えば蛍光灯などの非常に明るい物体が存在する場合には、その部分で得られる輪郭補正信号の輝度値が、非常に高いものとなる。そして、このような輪郭補正信号を用いて評価値の計算を行った場合には、評価値が飽和してしまうことになる。この場合、評価値がフォーカスの合焦状態を正しく反映したものとは言えなくなってしまうという問題があった。
【０００８】
本発明はかかる点に鑑みてなされたものであり、輝度信号が急激に変化する箇所においても、フォーカスの合焦度合を適切に検出できるようにすることを目的とする。
【課題を解決するための手段】
【０００９】
本発明の映像信号処理装置は、映像信号の所定の方向に隣接した３点のサンプルポイントのうち、端部に位置する第１のサンプルポイントの輝度値と中央に位置するサンプルポイントの輝度値との絶対値差に、３点の画素のうち端部に位置する第１のサンプルポイント以外のサンプルポイントである第２のサンプルポイントの輝度値と中央に位置するサンプルポイントの輝度値との絶対値差を加算し、そこから第１のサンプルポイントの輝度値と第２のサンプルポイントの輝度値との絶対値差を減算した値を評価値として算出する評価値算出部と、評価値算出部が算出した評価値を算出対象領域内で合算し、その合算された評価値に、算出対象領域の大きさに応じて設定されたゲインを乗算すると共に、所定数のフィールド又はフレームで平均化して平均評価値を得る合焦度合算出部と、合焦度合算出部で得られた平均評価値を通知する評価値通知部とを備えたものである。
【００１０】
このようにしたことで、フォーカスの合焦度合を示す平均評価値が、輝度信号の大きさではなく、映像信号に含まれる高周波成分の出力度合いを示したものとなる。
【発明の効果】
【００１１】
本発明によると、映像信号に含まれる高周波成分の出力度合いが評価値として表現されるため、映像信号に高輝度部分やコントラスト成分が含まれる場合にも、評価値が飽和してしまうことがなくなる。従って、適正な評価値を算出することができる。
【発明を実施するための最良の形態】
【００１２】
以下、本発明の一実施の形態を、添付図面を参照して説明する。本実施の形態では、映像信号の輝度値に基づいて生成した評価値を、ビューファインダとしての表示部の画面上にバー（以下、ピントバーとも称する）として表示することを行う。バーの長さは評価値の大きさと対応させてあり、フォーカス合焦位置においてバーの長さが最大となるようにしてある。
【００１３】
図１は、本実施の形態による撮像装置の内部構成例を示したブロック図である。図１に示した撮像装置１００は、被写体光を撮像装置１００内に取り込むレンズ１と、例えばフォーカスリング等で構成される、レンズ１の位置を移動させるためのレンズ駆動機構２とを備える。
【００１４】
レンズ１を通して入力された被写体光は撮像素子３によって光電変換され、映像信号とされる。映像信号を処理するブロックとしては、撮像素子３と、アナログ信号処理部４と、アナログ／デジタル変換部５（以下、Ａ／Ｄ変換部と称する）と、信号処理部６とを備える。
【００１５】
撮像素子３は、ＣＣＤ（Charge Coupled Devices）等よりなる。アナログ信号処理部４は、撮像素子３から出力された映像信号に含まれるリセットノイズを除去するＣＤＳ（Correlated Double Sampling）回路や、ゲインの調整を行うＡＧＣ（Automatic Gain Control）回路等を有する。Ａ／Ｄ変換部５は、アナログ信号処理部４で処理が行われた映像信号をデジタルの映像信号に変換して出力する。信号処理部６は、デジタルに変換された映像信号に、ガンマ補正やニー補正、マトリクス処理等を施す。なお、本例では撮像素子３をＣＣＤで構成した場合を想定しているが、ＣＭＯＳ（Complementary Metal Oxide Semiconductor）で構成してもよく、この場合は、Ａ／Ｄ変換部５までの処理が撮像素子３内で行われる。
【００１６】
信号処理部６で信号処理された映像信号は、図示せぬエンコーダに出力されるとともに、後述する表示処理部にも出力される。エンコーダに出力された映像信号は、圧縮処理された後にメモリカード等の外部記憶媒体に記録され、表示処理部に出力された映像信号は表示部に出力される。また信号処理部６で信号処理された映像信号は、合焦度合算出部７にも出力される。
【００１７】
合焦度合算出部７は、映像信号の輝度信号を、サンプル値として例えば水平方向に取得し、取得したサンプル値を基に所定の計算を行うことで、評価値を算出する。また、算出した評価値をバーとして表示するための処理も行う。そして処理結果を表示画像生成部８に出力する。なお、合焦度合算出部７の詳細については後述する。
【００１８】
表示画像生成部８は、合焦度合算出部７から出力されたデータを基に、表示部上に表示させる画像を生成し、生成した画像を表示処理部９に出力する。具体的には、ユーザにより指定された所定の位置に、評価値の大きさに応じて長さが設定されたバーを表示させる処理を行う。表示処理部９は、信号処理部６から出力された映像信号をＮＴＳＣ（National Television Standards Committee）形式の信号に変換したり、表示画像生成部８から出力された表示画像を表示部１０に表示させるための処理を行う。表示部１０は、ＬＣＤ（Liquid Crystal Display）等で構成されるビューファインダである。
【００１９】
次に、図２を参照して合焦度合算出部７の詳細について説明する。図２は、合焦度合算出部７の内部構成例を示すブロック図である。合焦度合算出部７は、ＬＰＦ（Low Pass Filter）２１と、評価値算出部２２と、コアリング処理部２３と、評価値合算部２４と、オフセット処理部２５と、ゲイン調整部２６と、平均化処理部２７とを備える。
【００２０】
ＬＰＦ２１は、フィルタ係数を（0.5,0.5）に設定したコサインフィルタ等よりなり、水平方向に抽出した２点のサンプルポイントにおける輝度信号を平均化して出力する。つまり、ＬＰＦ２１を通すことによって、映像信号のサンプルポイントの数が半分に減少する。それととともに、映像信号中のノイズと思われる高周波成分が抑制されるようになる。評価値の算出に先立ってこのような処理が行われることで、映像信号にノイズが混入していた場合にも、評価値にその影響が反映されにくくなる。
【００２１】
また本例では、ＬＰＦ２１の使用（オン）・非使用（オフ）を、フィルタ制御信号によって切り替えられるようにしてある。フィルタ制御信号は、ユーザにより操作入力部（図示略）を通して入力された指示内容に応じて、又は、信号処理段階で調整されたゲインの幅に応じて出力されるようにしておく。ゲインの幅に応じた出力としては、例えば、映像信号のゲインが大幅に上げられた場合などにはＬＰＦ２１のオンを指示するフィルタ制御信号を出力するようにする。そして、ゲインの調整幅が小さい場合には、ＬＰＦ２１のオフを指示するフィルタ制御信号を出力するようにすればよい。
【００２２】
評価値算出部２２は、水平方向に連続する３点のサンプルポイント（画素）における輝度値を用いて評価値を算出する。評価値算出部２２の具体的な処理内容を、図３にフローチャートで示してある。評価値算出部２２は、まず３点のサンプルポイントのうち左端の画素における輝度値と、中央の画素における輝度値との絶対値差Ｄ１を算出する（ステップＳ１）。次に、中央の画素の輝度値と右端の画素の輝度値との絶対値差Ｄ２を算出する（ステップＳ２）。そして、左端の画素の輝度値と右端の画素の輝度値との絶対値差Ｄ３を算出する（ステップＳ３）。
【００２３】
次に絶対値差Ｄ１＋絶対値差Ｄ２−絶対値差Ｄ３の計算を行い（ステップＳ４）、絶対値差Ｄ１＋絶対値差Ｄ２−絶対値差Ｄ３の解が０以外の値であるか否かの判断を行う（ステップＳ５）。絶対値差Ｄ１＋絶対値差Ｄ２−絶対値差Ｄ３の解が０以外の値である場合には、その解を出力する（ステップＳ６）。絶対値差Ｄ１＋絶対値差Ｄ２−絶対値差Ｄ３の解が０である場合には、解を出力せずに次のステップＳ７へ進む。
【００２４】
そしてステップＳ７では、評価値算出の対象となるサンプルポイントが存在するか否かが判断され、サンプルポイントがまだある場合には、ステップＳ１に戻って処理が続けられる。サンプルポイントがもうない場合には、処理はここで終了となる。
【００２５】
図４に、３点のサンプルポイントの値の具体的な例を示してある。図４（ａ）は、サンプルポイントｘ０からｘ１、ｘ２にかけて輝度値が単調増加している場合の例を示したものである。図３に示した処理によれば、ステップＳ１で｜ｘ０−ｘ１｜（Ｄ１）が算出され、ステップＳ２で｜ｘ１−ｘ２｜（Ｄ２）が算出され、ステップＳ３で｜ｘ０−ｘ２｜（Ｄ３）が算出される。
【００２６】
画素ｘ０と画素ｘ１との差分値ｄ１を３、中央の画素ｘ１と右端の画素ｘ２との差分値ｄ２は１、左端の画素ｘ０と右端の画素ｘ２との差分値ｄ３は４であるとすると、絶対値差Ｄ１は３、絶対値差Ｄ２は１、絶対値差Ｄ３は４となる。そして、図３のステップＳ４に基づいてＤ１＋Ｄ２−Ｄ３を算出すると、その解は３＋１−４＝０となる。従って、ステップＳ５ではＮＯが選択される。つまり、３点の画素間で輝度値が単調増加あるいは単調減少している場合には、ステップＳ４の式の解は常に０となる。
【００２７】
図４（ｂ）には、３点のサンプルポイントのうちの中央のサンプルポイントの輝度値が、３点の輝度値の中で一番大きい場合の例を示したものである。図４（ｂ）においては、画素ｘ０と画素ｘ１との差分値ｄ１を２、中央の画素ｘ１と右端の画素ｘ２との差分値ｄ２は−２、左端の画素ｘ０と右端の画素ｘ２との差分値ｄ３は０であるとする。この場合は、絶対値差Ｄ１と絶対値差Ｄ２がともに２で、絶対値差Ｄ３は０となる。
【００２８】
これらの値を図３のステップＳ４に記載の式に当てはめると、Ｄ１＋Ｄ２−Ｄ３＝２＋２−０＝４≠０となる。従って、ステップＳ６では「４」が評価値として出力されることになる。つまり、３点のサンプルポイントのうちの中央のサンプルポイントにおける輝度値が、３点の中でピークまたはボトムである場合には、その傾きの変化量に応じた評価値（左端の画素の輝度値と中央の画素の輝度値との差分の２倍の値）が出力されるようになる。
【００２９】
上述した計算によって評価値が算出されることにより、評価値が、輝度値の急激な変化による影響をうけないものとなる。例えば、信号処理部６（図１参照）から出力された映像信号の水平方向における輝度値の変化が、図５（ａ）に示したように急峻であった場合を想定する。従来のように、この映像信号にＨＰＦをかけて高域成分のみを抽出した場合には、ＨＰＦを通した後の映像信号は、図５（ｂ）に示したもののようになる。すなわち、輝度信号の傾きも拾った大きな値となってしまう。このような信号を用いて評価値が算出された場合には、評価値が飽和してしまい、エッジの開始地点と終了地点における振幅が評価値に正しく反映されなくなってしまう。
【００３０】
これに対して本実施の形態による評価値の計算では、３点のサンプルポイントのうちの中央のサンプルポイントにおける輝度値が、３点の中でピークまたはボトムである場合にのみ、評価値が算出されるようになる。すなわち、輝度信号の水平方向の変化における凸凹部分の先端部分のみが抽出され、その凸凹具合が評価値の値に反映されるようになる。
【００３１】
従って、図５（ａ）に示したように、隣接する画素間で輝度値が急激に変化するような場合にも、その変化量を拾うことなく、適正な評価値を算出することができる。つまり、図５（ｃ）に示すように、エッジの開始地点と終了時点を示す振幅を正しく抽出することができるようになる。
【００３２】
再び図２に戻って説明を続けると、コアリング処理部２３は、評価値算出部２２から出力された評価値の大きさを検出し、その値が一定レベル以下である場合はその値をフィルタリングする。すなわち、評価値の値が小さい場合には、その評価値はノイズによる微少変動を拾ったものであると判断し、評価値に反映させないようにするものである。
【００３３】
評価値合算部２４は、評価値算出対象領域において算出されたすべての評価値を合算する。オフセット処理部２５は、評価値合算部２４から出力された評価値の合算値から、所定の値を減算する。所定の値とは、ノイズに起因して絶対的に発生してしまう値に対応して設定される値であり、映像信号に加えられたゲインの大きさや、映像信号のＳ／Ｎや画質に応じて、任意の値に設定されるものとする。もしくは、これらの値に応じたモードを予め設定しておき、モードを切り替えることによりオフセットの量も自動的に定まる構成としてもよい。
【００３４】
ゲイン調整部２６は、オフセット処理部２５から出力された評価値に対して、評価値算出対象領域の大きさに応じて設定されたゲインをかける。平均化処理部２７は、ゲイン調整部２６でゲインが調整された評価値を、時間軸方向に平均化する処理を行う。すなわち、数フィールド分の評価値の平均を算出する。これにより、手ぶれ等の影響を受けて評価値の値がフィールド間でばらついた場合にも、最終的に出力される評価値は適正な値となる。
【００３５】
図６は、上述した各ブロックで構成される、合焦度合算出部７の処理の例を示したフローチャートである。合焦度合算出部７では、まずＬＰＦ２１によるフィルタリング処理が行われ（ステップＳ１１）、評価値算出部２２により評価値が算出される（ステップＳ１２）。そして、評価値算出部２２で算出された評価値に対して、コアリング処理部２３によるコアリング処理が施され（ステップＳ１３）、このようにして求められた評価値算出領域領域（フォーカス合わせ対象領域）内のすべての評価値が、評価値合算部２４によって合算される（ステップＳ１４）。
【００３６】
評価値合算部２４から出力された評価値の和は、オフセット処理部２５によってオフセット処理され（ステップＳ１５）、ゲイン調整部２６によりゲインが調整される（ステップＳ１６）。そして、このような処理が行われた所定数のフィールド分の評価値を用いて、平均化処理部２７によって評価値の平均値が算出される（ステップＳ１７）平均化処理部２７から出力された評価値の平均値が、合焦度合を示す最終的な評価値。そして、この評価値を長さに換算したものを、バーとして表示する。
【００３７】
ゲイン調整部２６から出力される評価値をＬとすると、Ｌは下記式で表すことができる。下記式において、αは評価値算出領域の大きさにより定まる定数を示し、Ａはコアリング処理により差し引かれる値を示し、Ｂがオフセット処理により差し引かれる値を示している。
【数１】
0005088225.tif 000002
そして、このＬを時間軸方向で平均化したＬａｖｅが、そのままバーの長さとなる。
Ｌａｖｅ＝ａｖｅ（Ｌ）
【００３８】
次に、フォーカスの合い具合を示すピントバーの表示例について、図７を参照して説明する。図７（ａ）は、表示部１０上におけるピントバーＰｂの表示位置の例を示したものである。図７に示したように、ピントバーＰｂは、ピントバー表示領域Ｐａ上に表示されるものであり、評価値の大きさに応じてピントバーＰｂの位置がｍｉｎと示された位置からｍａｘと示された位置までの間を移動する。ピントバー表示領域Ｐａは、図７（ａ）に示したように、画面上の上下左右の任意の位置に表示させることができるようにしてある。
【００３９】
ユーザによって、ピントバー表示領域Ｐａを画面の下方に表示させるように指示された場合には、ピントバー表示領域Ｐａは、図７（ｂ）に示されたように、画面の下方に表示される。このように、画面中の１箇所に表示させるようにしてもよいが、２箇所等に同時に表示させるようにしてもよい。
【００４０】
図７（ａ）と図７（ｂ）に示した例ではピントバーＰｂに色をつけてあり、バーの長さを視認しやすくしてある。なお、ピントバーＰｂとピントバー表示領域Ｐａの両方に色をつけ、それぞれを異なる色で表示するようにしてもよい。または、図７（ｃ）に示すように、ピントバー表示領域Ｐａについては図示せずに、ピントバーＰｂのみを表示させるようにしてもよい。
【００４１】
また、ピントバーＰｂやピントバー表示領域Ｐａの太さを、撮影者が任意の太さを選べるようにしてもよい。例えば大、中、小の３つのレベルの太さを予め設定値として用意しておき、この中から任意の値を選択可能な構成としてもよい。
【００４２】
もしくは、評価値をピントバーＰｂ以外の表現方法で表現するようにしてもよい。例えば、評価値を輝度信号に加算して表示したり、色差信号に変換して表示するような形態に適用してもよい。この場合、評価値と輝度信号との加算の比率や、色差信号への変換レベルを、撮影者が任意の値に設定できるようにしてもよい。また、評価値と輝度信号とを加算するのではなく、輝度信号から評価値を減算するようにしてもよい。
【００４３】
また、表示部１０上にピントの合い度合いを示すアイコン等を設け、合焦位置が近づくにつれそのアイコンが光るようにすることで、合焦状態を光の強さで示すような構成に適用してもよい。又は、評価値の大きさを音で表現するようにしてもよい。この場合は、例えばインターカム用のヘッドフォンを通して、撮影者に合焦の度合いを音で通知するようにする。
【００４４】
上述した実施の形態によれば、評価値の算出時に映像信号の周波数領域での分解が行われず、映像信号の凸凹具合のみが抽出される。従って、例えば高輝度でコントラストの強い被写体を撮影した場合にも、評価値が映像信号のコントラスト成分による影響を受けにくくなり、比較的リニアな指標を得ることができるようになる。つまり、被写体の絵柄によって極端に評価値が変動することを抑制することができる。
【００４５】
また上述した実施の形態では、評価値の算出に輪郭補正信号を使用しておらず、映像信号における高周波成分の出具合を抽出したものを評価値として使用している。このため、光学ズームをワイド端側に合わせて撮影した場合にも、被写界深度の深さの影響を受けることなく評価値が算出されるようになる。従って、輪郭補正信号によるピーキングではフォーカスの調整が難しいような領域においても、容易にフォーカス合わせを行えるようになる。
【００４６】
また、評価値の大きさをピントバーＰｂの長さにより視認することができるため、撮影者が容易にフォーカス合わせを行うことができるようになる。
【００４７】
また、上述した実施の形態によれば、評価値は、例えば細かい絵柄の部分では評価値は全体的に大きな値となり、のっぺりとした絵柄の部分では評価値は全体的に小さな値となる。そして、評価値算出に用いた数フィールドの中で最も評価値の高いところで、ピントバーＰｂが最大に振れるようになる。すなわち、絵柄なりの合焦ポイントをピントバーＰｂの振り切り幅として表現することができるため、撮影者は容易に合焦ポイントを把握することができるようになる。
【００４８】
また、本発明の一実施の形態によれば、ＨＰＦ等の規模の大きな演算を使用しないため、回路規模を抑えることができる。さらに、評価値算出に微分などの式を用いていないため、ほぼリアルタイムで評価値の算出を行うことができ、その結果をピントバーＰｂとして表示することができる。
【００４９】
なお、上述した実施の形態では、評価値の算出にあたって映像信号を水平方向にサンプルした例を挙げたが、垂直方向や斜め方向に対しても同様に評価値の検出を行うようにしてもよい。特にプログレッシブ方式の走査が適応されている場合には、水平方向と同時に垂直方向や斜め方向における検出も行うことが好ましい。
【００５０】
また、上述した実施の形態では、ゲイン調整部２６がかけるゲインの大きさを、評価値算出領域の大きさに応じて設定するようにしているが、映像信号にかけられたゲインの大きさに応じて設定するようにしてもよい。例えば、信号処理によって映像信号に対する大幅なゲインアップが行われた場合等には、そのゲインの幅に応じて、ゲインを落とす処理を行うようにしてもよい。
【００５１】
また、上述した実施の形態では、評価値の値をそのままピントバーＰｂの長さに変換した例を挙げたが、高い評価値を表示する領域においては、ピントバーＰｂを圧縮して表示するようにしてもよい。例えば、ガンマカーブ変換などを行うことにより、高い評価値を表示する領域においては、ピントバーＰｂの長さを緩やかに変化させるようにしてもよい。
【００５２】
また、上述した実施の形態では、ピントバーＰｂとピントバー表示領域Ｐａとを常に表示させる構成としてあるが、ユーザの指示に応じて表示と非表示を切り替えられるようにしてもよい。もしくは、光学ズームの位置に応じて自動的に表示又は非表示が選択されるようにしてもよい。
【００５３】
また、上述した実施の形態では撮像素子３を備えた撮像装置１００において評価値の算出を行う構成としたが、撮像素子３を備えない装置に適用するようにしてもよい。
【図面の簡単な説明】
【００５４】
【図１】本発明の一実施の形態による撮像装置の内部構成例を示すブロック図である。
【図２】本発明の一実施の形態による合焦度合算出部の内部構成例を示すブロック図である。
【図３】本発明の一実施の形態による評価値算出部の処理の例を示すフローチャートである。
【図４】本発明の一実施の形態による３点のサンプルポイント間での傾きの例を示す説明図であり、（ａ）は傾きが単調増加している場合の例を示すものであり、（ｂ）は中央のサンプルポイントにおける輝度値が３点の中で一番高い場合の例を示すものである。
【図５】本発明の一実施の形態による輝度信号の水平方向における変化の例を示す説明図であり、（ａ）は映像信号における輝度値の変化を示すものであり、（ｂ）はＨＰＦを通過後の映像信号における輝度値の変化を示すものであり、（ｃ）は本発明の一実施の形態により算出された評価値の水平方向での変化を示すものである。
【図６】本発明の一実施の形態による合焦度合算出部の処理の例を示すフローチャートである。
【図７】本発明の一実施の形態によるピントバーの表示の例を示す説明図であり、（ａ）はピントバー表示領域の配置位置の例を示すものであり、（ｂ）はピントバー表示領域及びピントバーの表示の例を示すものであり、（ｃ）はピントバーのみを表示した場合の表示例を示すものである。
【符号の説明】
【００５５】
１…レンズ、２…レンズ駆動機構、３…撮像素子、４…アナログ信号処理部、５…Ａ／Ｄ変換部、６…信号処理部、７…合焦度合算出部、８…表示画像生成部、９…表示処理部、１０…表示部、２１…ＬＰＦ、２２…評価値算出部、２３…コアリング処理部、２４…評価値合算部、２５…オフセット処理部、２６…ゲイン調整部、２７…平均化処理部
【図１】
0005088225.tif 000003
【図２】
0005088225.tif 000004
【図３】
0005088225.tif 000005
【図４】
0005088225.tif 000006
【図５】
0005088225.tif 000007
【図６】
0005088225.tif 000008
【図７】
0005088225.tif 000009